(57)【特許請求の範囲】
【請求項１】
時間計測を行う時間計測手段と、
前記制御手段によって制御され、所望の情報を通知する通知手段と、
前記時間計測手段の計測時間を検出する制御手段とを有するＶＤＴ作業監視装置であって、
該ＶＤＴ作業監視装置の監視下のＶＤＴは、作業が許容される作業状態と、
作業の一時中断を促すメッセージが表示される休憩状態と、作業の再開指示の入力が促される待機状態を有し、
前記制御手段は、前記作業状態において前記時間計測時間が予め設定された作業時間を計測したことを検出すると前記ＶＤＴを前記休憩状態に移行させ、前記休憩状態において前記時間計測手段が予め設定された休憩時間を計測したことを検出すると前記ＶＤＴを待機状態に移行させ、前記待機状態では作業再開が求められた場合に前記時間計測手段を初期化し前記ＶＤＴを作業状態に復帰させ、
前記制御手段は、作業再開が否定された場合は作業の一時中断を促すメッセージを前記通知手段に表示し、前記ＶＤＴを待機させるように構成されたＶＤＴ作業監視装置。
【請求項２】
前記作業状態において、作業者に、作業開始、作業継続、又は作業停止のいずれか一つを選択させる作業選択手段を有し、
前記制御手段は、前記選択された内容が前記作業開始の場合は前記時間計測手段を初期化し、前記作業停止の場合は、前記ＶＤＴを前記休憩状態に移行させ、前記作業継続の場合は時間計測手段に時間計測を継続して行わせるように構成された請求項１記載のＶＤＴ作業監視装置。
【請求項３】
時間計測を行う時間計測手段と、
前記制御手段によって制御され、所望の情報を通知する通知手段と、
前記時間計測手段の計測時間を検出する制御手段とを有し、
該ＶＤＴ作業監視装置の監視下のＶＤＴは、作業が許容される作業状態と、作業の一時中断を促すメッセージが表示される休憩状態と、作業の再開指示の入力が促される待機状態を有し、
前記制御手段は、前記作業状態において前記時間計測時間が予め設定された作業時間を計測したことを検出すると前記ＶＤＴを前記休憩状態に移行させ、前記休憩状態において前記時間計測手段が予め設定された休憩時間を計測したことを検出すると前記ＶＤＴを待機状態に移行させ、前記待機状態では作業再開が求められた場合に前記時間計測手段を初期化し前記ＶＤＴを作業状態に復帰させるように構成されたＶＤＴ作業監視装置であって、
前記作業状態において、作業者に、作業開始、作業継続、又は作業停止のいずれか一つを選択させる作業選択手段を有し、
前記制御手段は、前記選択された内容が前記作業開始の場合は前記時間計測手段を初期化し、前記作業停止の場合は、前記ＶＤＴを前記休憩状態に移行させ、前記作業継続の場合は時間計測手段に時間計測を継続して行わせるように構成されたＶＤＴ作業監視装置。
【請求項４】
前記制御手段は、前記時間計測手段が前記休憩時間を計測したことを検出すると、前記通知手段にその旨を通知させるように構成されたことを特徴とする請求項１乃至請求項３のいずれか１項記載のＶＤＴ作業監視装置。
【請求項５】
前記休憩状態中でも強制的に前記作業状態を開始できるように構成された請求項１乃至請求項４のいずれか１項記載のＶＤＴ作業監視装置。
【請求項６】
請求項１乃至請求項５のいずれか１項記載のＶＤＴ作業監視装置であって、
当該ＶＤＴ作業監視装置は、ＶＤＴを有する電子機器およびこの電子機器上で動作するソフトウェアプログラムによって構成されたＶＤＴ作業監視装置。
【請求項７】
ＶＤＴを、作業が許容される作業状態と、作業の一時中断を促すメッセージが表示される休憩状態と、作業の再開指示の入力が促される待機状態の間を移行させるＶＤＴ作業監視方法であって、
前記ＶＤＴが前記作業状態にある時間を計測し、予め設定された作業時間に至ると前記ＶＤＴを前記作業状態から前記休憩状態に移行させ、
前記休憩状態に移行後、予め設定された休憩時間に至ると前記ＶＤＴを休憩状態から前記待機状態に移行させ、前記待機状態では作業の再開か否かを問い合わせるメッセージを表示し、作業再開が求められた場合に前記ＶＤＴを作業状態に復帰させ、
作業再開が否定された場合は作業の一時中断を促すメッセージを表示し、待機するＶＤＴ作業監視方法。
【請求項８】
前記ＶＤＴが前記作業状態では、作業者が作業開始、作業継続、又は作業停止のいずれか一つが選択可能にされ、
選択された内容が、前記作業開始の場合は前記作業時間の計測を最初から開始し、前記作業停止の場合は、前記ＶＤＴを前記休憩状態に移行させ、前記作業継続の場合は時間の計測を継続して行う請求項７記載のＶＤＴ作業監視方法。
【請求項９】
ＶＤＴを、作業が許容される作業状態と、作業の一時中断を促すメッセージが表示される休憩状態と、作業の再開指示の入力が促される待機状態の間を移行させるＶＤＴ作業監視方法であって、
前記ＶＤＴが前記作業状態にある時間を計測し、予め設定された作業時間に至ると前記ＶＤＴを前記作業状態から前記休憩状態に移行させ、
前記休憩状態に移行後、予め設定された休憩時間に至ると前記ＶＤＴを休憩状態から前記待機状態に移行させ、前記待機状態では作業の再開か否かを問い合わせるメッセージを表示し、作業再開が求められた場合に前記ＶＤＴを作業状態に復帰させ、
前記ＶＤＴが前記作業状態では、作業者が作業開始、作業継続、又は作業停止のいずれか一つが選択可能にされ、
選択された内容が、前記作業開始の場合は前記作業時間の計測を最初から開始し、前記作業停止の場合は、前記ＶＤＴを前記休憩状態に移行させ、前記作業継続の場合は時間の計測を継続して行うＶＤＴ作業監視方法。
【発明の詳細な説明】
【０００１】
【発明の属する技術分野】
本発明は、パーソナルコンピュータやワードプロセッサ、ワークステーション等のように、ＶＤＴ(Visual Display Terminals)を使用して行われる作業の監視装置およびその監視方法の技術分野に関するものである。
【０００２】
【従来の技術】
前述のパーソナルコンピュータ、ワードプロセッサ、ワークステーションに限らず、現在では、ＶＤＴを利用した各種の電子機器が普及しており、ＶＤＴ作業はごく一般的なものとなっている。ＶＤＴ作業では、周知のように、ＶＤＴ画面を長時間にわたって見続けることにより、目の疲れや肩こり、頭痛等の体調不良をきたす場合がある。したがって、ＶＤＴの作業者は、自己の判断で定期的に休憩をとり、健康管理を行う必要がある。
【０００３】
しかし、ＶＤＴ作業では、仕事や時間等の都合上、集中的に作業を行う必要がある場合もある。その結果、時間の経過を忘れ、長時間にわたってＶＤＴ作業を行ってしまい、前述のように体調不良をきたすという問題点があった。
【０００４】
この問題を解決する従来技術としては、例えば特開昭６１−１８７０９０号公報に開示のＶＤＴ装置用連続使用時間規制装置や、特開平５−１７３６６３号公報に開示の電子機器装置等がある。
【０００５】
まず、特開昭６１−１８７０９０号公報に開示のＶＤＴ装置用連続使用時間規制装置は、ＶＤＴの使用時間をカウントして、ＶＤＴ作業が一定時間に達したことを検知し、作業者に休憩時間を報知するとともに、ＶＤＴの動作を強制的に一時停止させ、動作停止時間をカウントして、休憩が一定時間に達したことを検知し、ＶＤＴの使用時間のカウント、動作停止時間のカウントをリセットするとともに、ＶＤＴの動作を再開させる動作を繰り返し行うものである。
【０００６】
同公報に開示のＶＤＴ装置用連続使用時間規制装置では、上記動作を行う手段を備えることにより、ＶＤＴの使用時間が一定時間に達したことが検出されると、自動的に休憩時間を設定し、かつ、作業者に休憩時間であることを報知できるため、ＶＤＴ作業で最も問題となる眼精疲労に対する対策がとれ、しかも作業者の自己管理ではなく強制管理であるため、健康障害防止を図るのには大変有効な効果を発揮するとしている。
【０００７】
しかしながら、ＶＤＴ作業では、作業者が交代することは頻繁にありえる。この場合、同公報に開示のＶＤＴ装置用連続使用時間規制装置では、ＶＤＴの使用時間をリセットして最初からカウントするのか、あるいは、リセットせずに継続してカウントするのかについて考慮されていないという問題点があった。また、ＶＤＴ作業が強制的に停止されてしまうため、緊急を要する作業を選択的に継続して行うこともできなかった。
【０００８】
また、特開平５−１７３６６３号公報に開示の電子機器装置は、時間設定ダイアルで任意の時間を設定しておき、センサでＶＤＴの前方に作業者がいるかどうかを検出して、作業者がいる時にはタイマによる時間の計測を開始させ、作業者がいない時にはタイマによる時間の計測を停止させ、タイマが計測した時間が時間設定ダイアルで設定された時間に一致した時に、音と表示によって、作業者に時間がきたことを通知するものである。
【０００９】
同公報に開示の電子機器装置では、センサでＶＤＴの前方に作業者がいることを検出して、タイマでＶＤＴの作業時間を計測しているため、ＶＤＴ作業者は、電子機器装置に対面していた時間(作業時間)を正確に把握できるようになるとしている。しかし、ＶＤＴの前方に作業者がいるからといって、必ずしも作業者がＶＤＴ作業を行っているとは限らないため、実際にはＶＤＴの作業時間を正確に把握するのは困難であるという問題点があった。
【００１０】
【発明が解決しようとする課題】
本発明は、上記従来技術の不都合を解決するために創作されたものであり、その目的は、複数の作業者が交代でＶＤＴを使用する場合であっても、各々の作業者がＶＤＴの作業時間を正確に把握することができるＶＤＴ作業監視装置および監視方法を提供することにある。
【００１１】
【課題を解決するための手段】
上記課題を解決するために、請求項１記載の発明装置は、時間計測を行う時間計測手段と、前記制御手段によって制御され、所望の情報を通知する通知手段と、前記時間計測手段の計測時間を検出する制御手段とを有するＶＤＴ作業監視装置であって、該ＶＤＴ作業監視装置の監視下のＶＤＴは、作業が許容される作業状態と、作業の一時中断を促すメッセージが表示される休憩状態と、作業の再開指示の入力が促される待機状態を有し、前記制御手段は、前記作業状態において前記時間計測時間が予め設定された作業時間を計測したことを検出すると前記ＶＤＴを前記休憩状態に移行させ、前記休憩状態において前記時間計測手段が予め設定された休憩時間を計測したことを検出すると前記ＶＤＴを待機状態に移行させ、前記待機状態では作業再開が求められた場合に前記時間計測手段を初期化し前記ＶＤＴを作業状態に復帰させ、前記制御手段は、作業再開が否定された場合は作業の一時中断を促すメッセージを前記通知手段に表示し、前記ＶＤＴを待機させるように構成されたＶＤＴ作業監視装置である。
請求項２記載の発明は、前記作業状態において、作業者に、作業開始、作業継続、又は作業停止のいずれか一つを選択させる作業選択手段を有し、前記制御手段は、前記選択された内容が前記作業開始の場合は前記時間計測手段を初期化し、前記作業停止の場合は、前記ＶＤＴを前記休憩状態に移行させ、前記作業継続の場合は時間計測手段に時間計測を継続して行わせるように構成された請求項１記載のＶＤＴ作業監視装置である。
請求項３記載の発明は、時間計測を行う時間計測手段と、前記制御手段によって制御され、所望の情報を通知する通知手段と、前記時間計測手段の計測時間を検出する制御手段とを有し、該ＶＤＴ作業監視装置の監視下のＶＤＴは、作業が許容される作業状態と、作業の一時中断を促すメッセージが表示される休憩状態と、作業の再開指示の入力が促される待機状態を有し、前記制御手段は、前記作業状態において前記時間計測時間が予め設定された作業時間を計測したことを検出すると前記ＶＤＴを前記休憩状態に移行させ、前記休憩状態において前記時間計測手段が予め設定された休憩時間を計測したことを検出すると前記ＶＤＴを待機状態に移行させ、前記待機状態では作業再開が求められた場合に前記時間計測手段を初期化し前記ＶＤＴを作業状態に復帰させるように構成されたＶＤＴ作業監視装置であって、前記作業状態において、作業者に、作業開始、作業継続、又は作業停止のいずれか一つを選択させる作業選択手段を有し、前記制御手段は、前記選択された内容が前記作業開始の場合は前記時間計測手段を初期化し、前記作業停止の場合は、前記ＶＤＴを前記休憩状態に移行させ、前記作業継続の場合は時間計測手段に時間計測を継続して行わせるように構成されたＶＤＴ作業監視装置である。
請求項４記載の発明は、前記制御手段は、前記時間計測手段が前記休憩時間を計測したことを検出すると、前記通知手段にその旨を通知させるように構成されたことを特徴とする請求項１乃至請求項３のいずれか１項記載のＶＤＴ作業監視装置である。
請求項５記載の発明は、前記休憩状態中でも強制的に前記作業状態を開始できるように構成された請求項１乃至請求項４のいずれか１項記載のＶＤＴ作業監視装置である。
請求項６記載の発明は、請求項１乃至請求項５のいずれか１項記載のＶＤＴ作業監視装置であって、当該ＶＤＴ作業監視装置は、ＶＤＴを有する電子機器およびこの電子機器上で動作するソフトウェアプログラムによって構成されたＶＤＴ作業監視装置である。
請求項７記載の発明は、ＶＤＴを、作業が許容される作業状態と、作業の一時中断を促すメッセージが表示される休憩状態と、作業の再開指示の入力が促される待機状態の間を移行させるＶＤＴ作業監視方法であって、前記ＶＤＴが前記作業状態にある時間を計測し、予め設定された作業時間に至ると前記ＶＤＴを前記作業状態から前記休憩状態に移行させ、前記休憩状態に移行後、予め設定された休憩時間に至ると前記ＶＤＴを休憩状態から前記待機状態に移行させ、前記待機状態では作業の再開か否かを問い合わせるメッセージを表示し、作業再開が求められた場合に前記ＶＤＴを作業状態に復帰させ、作業再開が否定された場合は作業の一時中断を促すメッセージを表示し、待機するＶＤＴ作業監視方法である。
請求項８記載の発明は、前記ＶＤＴが前記作業状態では、作業者が作業開始、作業継続、又は作業停止のいずれか一つが選択可能にされ、選択された内容が、前記作業開始の場合は前記作業時間の計測を最初から開始し、前記作業停止の場合は、前記ＶＤＴを前記休憩状態に移行させ、前記作業継続の場合は時間の計測を継続して行う請求項７記載のＶＤＴ作業監視方法である。
請求項９記載の発明は、ＶＤＴを、作業が許容される作業状態と、作業の一時中断を促すメッセージが表示される休憩状態と、作業の再開指示の入力が促される待機状態の間を移行させるＶＤＴ作業監視方法であって、前記ＶＤＴが前記作業状態にある時間を計測し、予め設定された作業時間に至ると前記ＶＤＴを前記作業状態から前記休憩状態に移行させ、前記休憩状態に移行後、予め設定された休憩時間に至ると前記ＶＤＴを休憩状態から前記待機状態に移行させ、前記待機状態では作業の再開か否かを問い合わせるメッセージを表示し、作業再開が求められた場合に前記ＶＤＴを作業状態に復帰させ、前記ＶＤＴが前記作業状態では、作業者が作業開始、作業継続、又は作業停止のいずれか一つが選択可能にされ、選択された内容が、前記作業開始の場合は前記作業時間の計測を最初から開始し、前記作業停止の場合は、前記ＶＤＴを前記休憩状態に移行させ、前記作業継続の場合は時間の計測を継続して行うＶＤＴ作業監視方法である。
【００１２】
本発明のＶＤＴ作業監視装置は、上記のように構成されており、時間計測を行う時間計測手段と、少なくともその時間計測手段が測定した計測時間を検出する制御手段とを有しており、また、その制御手段によって制御され、所望の情報を通知する通知手段を有している。
【００１３】
本発明装置では、制御手段が計測時間を検出することにより、計測時間が予め設定された作業時間に至ったことを判別すると、ＶＤＴを休憩状態に移行させるように構成されている。
【００１４】
更に、作業時間の時間計測中に、作業者に、作業開始、作業継続、又は作業停止のいずれか一つの状態を選択させる作業選択手段を有しており、制御手段は、選択された内容に応じ、ＶＴＤの状態を決定するように構成されている。
【００１５】
従って、作業時間の途中であっても、作業を終了させたり、休憩状態に移行したり、又は、作業者が交代する等により、作業時間の計測を最初からやり直したい場合等に柔軟に対応することができる。
【００１６】
休憩状態に移行した後、休憩時間が経過すると、作業者が再開を指示するまで待機状態になるので、休憩時間が複雑な場合であっても、柔軟に対応することができる。
【００１７】
【発明の実施の形態】
以下に、添付の図面に示す好適実施例に基づいて、本発明のＶＤＴ作業監視装置および監視方法を詳細に説明する。
【００１８】
図１は、本発明のＶＤＴ作業監視装置の一実施例のブロック概念図である。
同図に示すように、本発明のＶＤＴ作業監視装置１０は、基本的に、設定手段１２、初期化手段１４、時間計測手段１６、通知手段１８、作業選択手段２０および制御手段２２を有する。
【００１９】
このＶＤＴ作業監視装置１０において、まず、設定手段１２には、ＶＤＴの作業者が作業を継続して行う作業時間、および、このＶＤＴの作業時間に相当する時間作業した後に休憩する休憩時間があらかじめ設定される。例えば、ＶＤＴの作業時間および休憩時間としては、通常、各々１時間および１５分間程度の時間が設定される。
【００２０】
初期化手段１４は、設定手段１２に設定されたＶＤＴ(表示画面)の作業時間および休憩時間に基づいて、次に述べる時間計測手段１６を初期化する。
【００２１】
時間計測手段１６は、初期化手段１４によって初期化された後、ＶＤＴの作業時間および休憩時間に相当する時間計測を開始する。すなわち、ＶＤＴの作業時間で初期化されると、ＶＤＴの作業時間に相当する時間(ここでは１時間に設定されているものとする)だけ時間計測を行い、休憩時間で初期化されると、休憩時間に相当する時間(ここでは１５分間)を計測する。制御手段２２は、作業時間、又は休憩時間の計測完了を検出できるようになっている。
【００２２】
通知手段１８は制御手段２２によって制御されており、時間計測手段１６によって、ＶＤＴの作業時間および休憩時間に相当する時間が計測された時に、その旨(作業時間、又は休憩時間に相当する時間が計測されたこと)を作業者に通知する。この通知は、ＶＤＴに警告メッセージを表示したり、警告音や音声等によって警告を与えることができるが、他の通知手段を使用してもよい。また、ＶＤＴを有する電子機器があらかじめ備えているＶＤＴ以外の表示装置やスピーカ等を利用してもよい。
【００２３】
作業選択手段２０は、作業者の要求に応じて、ＶＤＴの作業開始、作業継続または作業停止を随時選択的に切り替えるように構成されている。この作業選択手段２０により、作業者が作業開始を選択した場合には、時間計測手段１６は初期化手段１４によって初期化され、時間の計測が新規に開始される。
【００２４】
作業者が作業継続を選択した場合には、時間計測手段１６による時間の計測が継続して行われる。
作業停止を選択した場合には、時間計測手段１６による時間の計測は完全に停止される。
【００２５】
例えば、時間計測手段１６による時間の計測を新規にＶＤＴ作業を開始したい場合や、作業者を交代してＶＤＴ作業を新規に開始する場合等には、通常、作業開始が選択される。
【００２６】
他方、作業者が一時的に作業を中断した後で作業を再開したい場合であって、時間計測手段１６による時間の計測を継続させたい場合には、作業継続が選択される。
それに対し、時間計測手段１６による時間の計測が行われている間に途中で作業を終了させたい場合には、作業停止が選択される。
【００２７】
制御手段２２は、上記作業選択手段２０によって選択された作業内容に応じて、このＶＤＴ作業監視装置１０全体の動作を制御する。
【００２８】
本発明のＶＤＴ作業監視装置１０においては、制御手段２２の制御に基づいて、まず、初期化手段１４により、設定手段１２にあらかじめ設定されたＶＤＴの作業時間で時間計測手段１６が初期化される。時間計測手段１６は、ＶＤＴの作業時間に相当する時間の計測を開始し、このＶＤＴの作業時間に相当する時間を計測した時に、通知手段１８により、ＶＤＴの作業時間に相当する時間を計測したことを作業者に通知する。
【００２９】
続いて、時間計測手段１６は休憩時間で初期化され、休憩時間に相当する時間を計測した時に、休憩時間に相当する時間を計測したことを作業者に通知する。これにより、作業者は、ＶＤＴの作業時間や休憩時間を確実に把握することができる。また、作業選択手段２０により、作業内容を必要に応じて随時切り替えることができるため、作業者が交代しても、作業者はＶＤＴの作業時間や休憩時間を確実に把握できるし、緊急を要する作業を継続して行うこともできる。
【００３０】
なお、本発明のＶＤＴ作業監視装置１０は、例えばパーソナルコンピュータやワードプロセッサ、ワークステーション等のように、ＶＤＴを有する電子機器、および、この電子機器上で動作するＶＤＴ作業監視プログラム等のソフトウェアやハードウェアの組み合わせによって一体型に構成してもよいし、あるいは、ＶＤＴを有する電子機器とは全く独立したハードウェアおよびソフトウェアを組み合わせて分離型に構成してもよい。
【００３１】
次に、図２に示す状態遷移図および図３に示すフローチャートを参照しながら、本発明のＶＤＴ作業監視方法について、本発明を、ＶＤＴを有する電子機器、および、この電子機器上で動作するＶＤＴ作業監視プログラムとして実現した場合の一例を挙げて説明する。
【００３２】
まず、本発明を適用するＶＤＴ作業監視プログラムは、インストールプログラムを実行することによって、例えばウィンドウズ９５／９８、ウィンドウズＮＴ(これらはマイクロソフト社製の登録商標である。)等のオペレーティングシステム(ＯＳ)のスタートアップグループに自動的に登録される。インストールされたＶＤＴ作業監視プログラムは、オペレーティングシステムが起動された後で自動的に起動され、メインメモリ上に常駐して動作する。
【００３３】
ＶＤＴ作業監視プログラム動作を図３のフローチャートを用いて説明すると、本プログラム起動後は、まず、ステップＳ1に示すように、ＶＤＴ作業監視プログラム自身を初期化する。より具体的には、例えばＶＤＴ作業監視プログラム自身をアイコン化して画面端部(タスクバー部分)に常駐状態を表示するとともに(アイコンによる表示)、ＶＤＴの作業時間および休憩時間を計測する時間計測手段１６をＶＤＴの作業時間で初期化し、この時間計測手段１６によるＶＤＴの作業時間のカウントダウン動作を開始させる。
【００３４】
なお、ＶＤＴの作業時間および休憩時間は、予めハードディスク等の外部記憶装置内に記憶されており、本ＶＤＴ作業監視プログラムの実行に伴い、半導体記憶装置に読み込まれる。ハードディスク上での記憶形態としては、オペレーティングシステムに関するテキストファイル内に記載されるようにしてもよく、また、オペレーティングシステムのファイルとは別個のデータファイルとしてもよいが、作業者が、記憶されている作業時間及び休憩時間を所望の時間に変更できる必要がある。
【００３５】
上記初期化後、ステップＳ2に示すように、時間計測手段１６の時間計測が開始される。時間計測開始後、ステップＳ3に移行し、マウスボタンやキーボードの押下の有無がチェックされる。
【００３６】
押下が無かった場合には、ステップＳ2に戻り、時間計測を続行し、再度ステップＳ3に移行する。このように、押下が無い場合には、ステップＳ2とステップＳ3との間でループが形成される。
【００３７】
このループは、ステップＳ2で、制御手段２２が、時間計測結果が設定された作業時間に達したことを検出するまで行われる。この間、ＶＤＴは作業状態にあり、作業者は自由にＶＤＴ作業を行うことができる。
ＶＤＴの作業中は、タスクバーに表示されたＶＤＴ作業監視プログラムのアイコンの上にＶＤＴの作業時間の残り時間が表示される。
【００３８】
ＶＤＴ作業中に、作業者が作業時間の修正や時間計測の中断等を要求する場合には、ＶＤＴ作業監視プログラムのアイコンをマウスでクリックすることにより、ステップＳ3からステップＳ4に移行し、図４で示すような監視指示画面を表示れる(作業者の指示がない場合には、上述したようにステップＳ2へ戻る)。
【００３９】
図４に示した監視指示画面には、ＶＤＴの作業時間の残り時間が表示される。作業者は、ＶＤＴ作業監視プログラムに対して、監視指示画面を見ながらマウス又はキーボードを使用し、ＶＤＴの作業開始、ＶＤＴの作業継続、ＶＤＴの作業停止、または、このＶＤＴ作業監視プログラムの終了のいずれかの作業指示を与えることができる。ここで、作業者によってＶＤＴの作業開始が指示されると、ＶＤＴ作業監視プログラムはステップＳ1に戻り、新たに時間計測手段１６によるカウントダウンが開始される。
【００４０】
また、ＶＤＴの作業継続が指示されると、ステップＳ2に戻って、時間計測手段１６によるＶＤＴの作業時間の計測が継続して行われる。また、ＶＤＴの作業停止が指示されると後述するステップＳ6に進む。そして、ＶＤＴ作業監視プログラムの終了が指示されると、ＶＤＴ作業監視プログラムはその動作を終了する。なお、いずれの場合も、作業内容が選択された後に、ＶＤＴ作業監視プログラム(監視指示画面)はタスクバーに再びアイコン表示される。
【００４１】
時間計測手段１６により、予め設定された作業時間(ここでは１時間)の計測が完了すると、制御装置２２はそのことを検出し、ＶＤＴは休憩状態に移行する。
この休憩状態では、作業者はＶＤＴを使用した作業ができないように規定されており、ＶＤＴ上には、通知手段１８により、図２の状態遷移図に示すような、作業の一時中断を促すメッセージを、ＶＤＴ画面上に表示される。
【００４２】
作業者は、このメッセージを見て、作業の開始から所定の作業時間が経過したことを認識し、あらかじめ設定された休憩時間だけ休憩することができる。なお、緊急を要する作業である場合には、強制的に作業を再開させることも可能である。この場合、図２の状態遷移図に示すように、例えばキーボードのＥｎｔｅｒキーを押下することによって、ＶＤＴ作業監視プログラムはステップＳ9に進み、作業者は継続して作業を行うことができる。
【００４３】
休憩状態に移行した後、時間計測手段１６は休憩時間で初期化され、その後、ステップＳ7に移行し、時間計測手段１６による休憩時間の計測が開始される。
【００４４】
時間計測手段１６の計測時間が設定された休憩時間に達すると、制御装置２２は計測時間の完了を検出し、ステップＳ8に移行し、図２の状態遷移図に示すような、作業の再開指示の入力を促すメッセージをＶＤＴの画面上に表示させた後、ステップＳ9に移行し、該ステップＳ9にて、作業者による作業再開の指示があるまで待機状態に入る。
【００４５】
作業者が作業再開を希望せず、‘いいえ’が選択された場合には、ＶＤＴ作業監視プログラムはステップＳ6に戻り、作業の一時中断を促すメッセージを表示し、ステップＳ7、Ｓ8を経て、ステップＳ9にて待機状態に入る。
【００４６】
休憩状態に移行すると、時間計測手段１６は休憩時間で初期化され、その後、ステップＳ7に移行し、時間計測手段１６による休憩時間の計測が開始される。
【００４７】
作業者が作業再開を希望し、‘はい’を選択した場合には、ステップＳ1に戻り、ＶＤＴ作業監視プログラム自身を初期化し、以後、前述の処理手順と同様の手順によって処理を繰り返す。
【００４８】
このように、休憩時間が経過した後は、作業者による指示があるまで待機しているので、作業の再開時刻や、新たな作業者による作業開始時刻を自由に決定することができる。
【００４９】
本発明のＶＤＴ作業監視装置および監視方法は、基本的に以上のようなものである。なお、本発明は上記実施例に限定されず、例えばＶＤＴの作業時間および休憩時間は各々１時間および１５分間ではなく、作業者が自由に変更してもよい。また、上記実施例のように、本発明をソフトウェアを使用してＶＤＴ作業監視プログラムとして実現する場合、このＶＤＴ作業監視プログラムが動作するオペレーティングシステムも何ら限定されない。
【００５０】
以上、本発明のＶＤＴ作業監視装置および監視方法について詳細に説明したが、本発明は上記実施例に限定されず、本発明の主旨を逸脱しない範囲において、種々の改良や変更をしてもよいのはもちろんである。
【００５１】
【発明の効果】
以上詳細に説明した様に、本発明のＶＤＴ作業監視装置および監視方法によれば、休憩時間が経過した後は、作業者による指示があるまで待機しているので、作業の再開時刻や、新たな作業者による作業開始時刻を自由に決定することができる。
また、作業者は、ＶＤＴの作業時間や休憩時間を把握して、健康管理を確実に行うことができることはもちろん、作業者の要求に応じて、ＶＤＴの作業開始、作業継続または作業停止を随時選択的に切り替えて作業内容を適宜変更することができるため、作業者が交代した場合であっても、作業者は、ＶＤＴの作業時間や休憩時間を確実に計測することができるし、必要に応じて緊急を要する作業を継続して行うこともできる。
【図面の簡単な説明】
【図１】本発明のＶＤＴ作業監視装置の一実施例のブロック概念図である。
【図２】本発明のＶＤＴ作業監視方法の一実施例の状態遷移図である。
【図３】本発明のＶＤＴ作業監視方法の動作を表す一実施例のフローチャートである。
【図４】本発明を適用するＶＤＴ作業監視プログラムの一実施例の監視指示画面である。
【符号の説明】
１０……ＶＤＴ作業監視装置
１２……設定手段
１４……初期化手段
１６……時間計測手段
１８……通知手段
２０……作業選択手段
２２……制御手段
【図１】
0003704243.tif 000002
【図２】
0003704243.tif 000003
【図３】
0003704243.tif 000004
【図４】
0003704243.tif 000005